(57)【要約】【課題】モータケースでの熱の滞留を抑制しつつも、ポンプハウジングの中間軸支部での熱摩耗を抑えることができる電動ポンプを提供する。【解決手段】ポンプハウジング１２は、モータケース１１に固定された第１ハウジング部２１と、回転軸１５の中間部位（モータロータ１６とポンプロータ３３との間の部位）を軸支する軸支持孔３１（中間軸支部）を有する第２ハウジング部２２とが互いに組み付けられて、その第１及び第２ハウジング部２１，２２の間にポンプ室Ｐが構成される。そして、第２ハウジング部２２は、第１ハウジング部２１に対して固定され、モータケース１１とは離間されて構成される。【選択図】図１
2014062483.tif 000002
【特許請求の範囲】
【請求項１】
モータロータ及びモータステータが収容されたモータケースと、
前記モータロータが一端側に固定されるとともに、他端側にポンプロータが固定された回転軸と、
前記回転軸における前記モータロータと前記ポンプロータとの間の部位を軸支する中間軸支部及び前記ポンプロータを収容するポンプ室を有し、前記モータケースに固定されたポンプハウジングと
を備えた電動ポンプであって、
前記ポンプハウジングは、前記モータケースに固定された第１ハウジング部と、前記中間軸支部を有する第２ハウジング部とが互いに組み付けられて、その第１及び第２ハウジング部の間に前記ポンプ室が構成されてなり、
前記第２ハウジング部は、前記第１ハウジング部に対して固定され、前記モータケースとは離間されていることを特徴とする電動ポンプ。
【請求項２】
請求項１に記載の電動ポンプにおいて、
前記第１ハウジング部は、前記モータケースに直接固定されていることを特徴とする電動ポンプ。
【請求項３】
請求項２に記載の電動ポンプにおいて、
前記第１ハウジング部は、筒状の前記モータケースの開口端部に挿入された挿入部を有し、
前記モータケースの前記開口端部には、該モータケースの内側に突出して前記第１ハウジング部の前記挿入部に圧接するかしめ固定部が形成されていることを特徴とする電動ポンプ。
【請求項４】
請求項３に記載の電動ポンプにおいて、
前記かしめ固定部は、前記第１ハウジング部と前記第２ハウジング部との固定部位に対して軸方向に異なる位置に設けられていることを特徴とする電動ポンプ。
【請求項５】
請求項３又は４に記載の電動ポンプにおいて、
前記モータケースの前記開口端部には、前記モータケースの他の部位よりも肉厚が薄い薄肉部が形成され、該薄肉部に前記かしめ固定部が形成されていることを特徴とする電動ポンプ。
【請求項６】
請求項１〜５のいずれか１項に記載の電動ポンプにおいて、
前記モータケースは鉄系材料よりなることを特徴とする電動ポンプ。
【請求項７】
請求項１〜６のいずれか１項に記載の電動ポンプにおいて、
前記第１ハウジング部はアルミ系材料よりなることを特徴とする電動ポンプ。
【発明の詳細な説明】
【技術分野】
【０００１】
本発明は、電動ポンプに関するものである。
【背景技術】
【０００２】
従来、電動ポンプは、例えば特許文献１に開示されるように、モータロータ及びモータステータが収容されたモータケースにポンプハウジングが組み付けられている。ポンプハウジングは、モータケースに直接接触された第１ハウジング部（特許文献１中、本体部）と、その第１ハウジング部に対して組み付けられた第２ハウジング部（特許文献１中、カバー）とからなる。電動ポンプの回転軸は、その一端側にモータロータが固定されるとともに、他端側にポンプロータが固定されており、その回転軸におけるモータロータとポンプロータとの間の部位は、第１ハウジング部に設けられた中間軸支部にて回転可能に支持されている。そして、回転軸と一体回転するポンプロータは、第１及び第２ハウジング部の間に形成されたポンプ室に収容され、そのポンプロータの回転に基づいて、第２ハウジング部に形成された吸入ポート及び吐出ポートを介して、オイル等の流体の給送がなされる。
【先行技術文献】
【特許文献】
【０００３】
【特許文献１】特開２０１２−２６２９４号公報
【発明の概要】
【発明が解決しようとする課題】
【０００４】
しかしながら、上記特許文献１のような電動ポンプでは、回転駆動時にモータステータが発熱し、その熱はモータケースから該モータケースと直接接触している第１ハウジング部へと伝わる。これにより、モータステータで生じた熱をモータケースに留まらせずに第１ハウジング部に逃がすことができ、モータケースに熱が滞留することによるモータ性能の悪化が抑制されている。しかしながら、モータケースから伝達される熱によって第１ハウジング部が高温になると、第１ハウジング部に設けられた前記中間軸支部に熱摩耗（低温時に比べて摩耗が助長される現象）が生じ、それが電動ポンプの長寿命化を妨げる一因となっていた。
【０００５】
本発明は、上記課題を解決するためになされたものであって、その目的は、モータケースでの熱の滞留を抑制しつつも、ポンプハウジングの中間軸支部での熱摩耗を抑えることができる電動ポンプを提供することにある。
【課題を解決するための手段】
【０００６】
上記課題を解決するために、請求項１に記載の発明は、モータロータ及びモータステータが収容されたモータケースと、前記モータロータが一端側に固定されるとともに、他端側にポンプロータが固定された回転軸と、前記回転軸における前記モータロータと前記ポンプロータとの間の部位を軸支する中間軸支部及び前記ポンプロータを収容するポンプ室を有し、前記モータケースに固定されたポンプハウジングとを備えた電動ポンプであって、前記ポンプハウジングは、前記モータケースに固定された第１ハウジング部と、前記中間軸支部を有する第２ハウジング部とが互いに組み付けられて、その第１及び第２ハウジング部の間に前記ポンプ室が構成されてなり、前記第２ハウジング部は、前記第１ハウジング部に対して固定され、前記モータケースとは離間されていることを特徴とする。
【０００７】
この発明では、モータステータで生じた熱は、モータケースから第１ハウジング部へと伝達されるが、モータケースから離間された第２ハウジング部には、モータケースの熱が直接伝わらない。これにより、モータケースから第１ハウジング部に熱を逃がすことによって、モータケースでの熱の滞留を抑制しつつも、中間軸支部を有する第２ハウジング部が高温になることが抑制され、その結果、中間軸支部での熱摩耗を抑えることができる。
【０００８】
請求項２に記載の発明は、請求項１に記載の電動ポンプにおいて、前記第１ハウジング部は、前記モータケースに直接固定されていることを特徴とする。
この発明では、第１ハウジング部がモータケースに直接固定されるため、モータケースから第１ハウジング部に熱を逃がしやすくすることができ、その結果、モータケースでの熱の滞留を好適に抑制することができる。
【０００９】
請求項３に記載の発明は、請求項２に記載の電動ポンプにおいて、前記第１ハウジング部は、筒状の前記モータケースの開口端部に挿入された挿入部を有し、前記モータケースの前記開口端部には、該モータケースの内側に突出して前記第１ハウジング部の前記挿入部に圧接するかしめ固定部が形成されていることを特徴とする。
【００１０】
この発明では、モータケースの開口端部をかしめる（塑性変形させる）ことで、モータケースと第１ハウジング部の挿入部とが固定されるため、ボルトや接着剤等を用いずともモータケースと第１ハウジング部とを固定することができ、その結果、電動ポンプの構成や製造工程の簡素化に寄与できる。
【００１１】
請求項４に記載の発明は、請求項３に記載の電動ポンプにおいて、前記かしめ固定部は、前記第１ハウジング部と前記第２ハウジング部との固定部位に対して軸方向に異なる位置に設けられていることを特徴とする。
【００１２】
この発明では、モータケースの開口端部と第１ハウジング部の挿入部との固定の際のかしめ圧が、第１ハウジング部に固定された第２ハウジング部に対して影響を及ぼしにくくすることができる。このため、かしめ圧によって第２ハウジング部の固定状態が悪化し、第２ハウジング部の中間軸支部の軸ずれが生じるといったことを抑制することができる。
【００１３】
請求項５に記載の発明は、請求項３又は４に記載の電動ポンプにおいて、前記モータケースの前記開口端部には、前記モータケースの他の部位よりも肉厚が薄い薄肉部が形成され、該薄肉部に前記かしめ固定部が形成されていることを特徴とする。
【００１４】
この発明では、モータケースの開口端部が薄肉に形成されるため、該開口端部を容易に塑性変形させることができ、その結果、モータケースと第１ハウジング部との固定作業が容易となる。
【００１５】
請求項６に記載の発明は、請求項１〜５のいずれか１項に記載の電動ポンプにおいて、前記モータケースは鉄系材料よりなることを特徴とする。
この発明では、比較的剛性が高く且つ線膨張率が比較的小さい鉄系材料にてモータケースを形成することで、そのモータケースに対するモータステータの固定を安定させることができる。また、鉄系材料は例えば樹脂に比べて熱伝導率が高いため、モータステータの熱がモータケースから外部に良好に放熱され、その結果、モータステータの熱がモータケース内部に籠もることを抑制することができる。
【００１６】
請求項７に記載の発明は、請求項１〜６のいずれか１項に記載の電動ポンプにおいて、前記第１ハウジング部はアルミ系材料よりなることを特徴とする。
この発明では、電動ポンプの軽量化に寄与できる。また、アルミ系材料は熱伝達率が比較的高いため、モータケースから第１ハウジング部への熱の伝達が促され、その結果、モータケースでの熱の滞留を好適に抑制することができる。
【発明の効果】
【００１７】
従って、上記記載の発明によれば、モータケースでの熱の滞留を抑制しつつも、ポンプハウジングの中間軸支部での熱摩耗を抑えることができる。
【図面の簡単な説明】
【００１８】
【図１】実施形態の電動ポンプの断面図である。
【図２】同形態の電動ポンプの平面図である。
【図３】別例の電動ポンプの一部を拡大して示す断面図である。
【発明を実施するための形態】
【００１９】
以下、本発明を具体化した一実施形態を図面に従って説明する。
図１に示すように、本実施形態の電動ポンプは、略円筒状のモータケース１１と、モータケース１１の軸方向出力側に設けられたポンプハウジング１２と、モータケース１１の軸方向反出力側に設けられた回路ケース部材１３とを備え、それらから全体の筐体が構成されている。
【００２０】
モータケース１１は鉄系材料よりなり、その内周面に電機子としての略円筒状のモータステータ１４が固定されている。モータステータ１４の内周側には、ポンプハウジング１２に軸支された回転軸１５に一体回転可能に固定されたモータロータ１６が配置されている。回転軸１５は、モータケース１１の径中心に配置され、回転軸１５の軸線とモータケース１１の軸線とが同軸をなすように構成されている。また、回転軸１５は、非磁性金属であるステンレス鋼よりなる。
【００２１】
モータステータ１４とモータロータ１６とは、インナロータ型のブラシレスモータを構成しており、本実施形態の電動ポンプの動力源である。なお、本実施形態のモータロータ１６は、その外周面がマグネット磁極と突極とで構成され、且つそのマグネット磁極にマグネット１６ａが埋設された所謂ＩＰＭ型のコンシクエントポール型ロータである。
【００２２】
ポンプハウジング１２は、モータケース１１の軸方向出力側の第１開口端部１１ａに組み付けられた第１ハウジング部２１と、その第１ハウジング部２１に組み付けられた第２ハウジング部２２とから構成されている。第１及び第２ハウジング部２１，２２はともに非磁性金属であるアルミ系材料よりなる。
【００２３】
第１ハウジング部２１は、モータケース１１の外部に位置するベース部２３と、ベース部２３から軸方向に延出されてモータケース１１の第１開口端部１１ａに挿入された略円筒状の挿入部２４とを有している。
【００２４】
図２に示すように、ベース部２３は、モータケース１１の径方向に沿う互いに相反する２方向（図２において左右方向）にそれぞれ延出された延出部２３ａが形成されている。延出部２３ａは、モータケース１１の外径よりも径方向外側に延出されており、この延出部２３ａには、電動ポンプを所定の取付箇所にボルト等で固定するための取付孔２３ｂが形成されている。
【００２５】
なお、本実施形態の電動ポンプは、車両のトランスミッション（図示略）のオイルを循環させるためのポンプであり、そのトランスミッションに対してベース部２３の延出部２３ａがボルト等で取り付けられるようになっている。
【００２６】
図１に示すように、第１ハウジング部２１の挿入部２４は、モータケース１１の第１開口端部１１ａに挿入固定されている。なお、挿入部２４の外周面２４ａとモータケース１１の内周面との間にはシールリング２５が介在されており、その間のシール性が確保されている。
【００２７】
挿入部２４は、モータケース１１の軸方向内部側（モータロータ１６側）に開口する略円筒状をなし、その内周側には、径の異なる３つの円形の凹部（嵌合凹部２６、収容凹部２７及び軸支凹部２８）が回転軸１５の軸方向に沿って連続して形成されている。この３つの凹部は、モータケース１１の内部側から嵌合凹部２６、収容凹部２７、軸支凹部２８の順に形成され、その各凹部２６〜２８はモータケース１１の内部側に開口している。
【００２８】
各凹部２６〜２８は軸方向視で円形をなし、それらのうち、嵌合凹部２６が最も径が大きく、収容凹部２７が嵌合凹部２６よりも小径に形成され、更に、軸支凹部２８が収容凹部２７よりも小径に形成されている。つまり、挿入部２４の内周は、嵌合凹部２６、収容凹部２７及び軸支凹部２８を経るにつれて縮径する段差形状をなしている。また、嵌合凹部２６及び軸支凹部２８は回転軸１５と同軸の円形に形成される一方、収容凹部２７は、図１の断面には現れていないが、嵌合凹部２６及び軸支凹部２８（即ち、回転軸１５）に対し偏心した円形（即ち、同軸でない円形）をなしている。
【００２９】
軸支凹部２８は、回転軸１５の軸方向に沿ってベース部２３まで延びている。また、軸支凹部２８は、回転軸１５の軸方向において収容凹部２７側のみが開口しており、軸支凹部２８の収容凹部２７とは反対側の端部は閉塞されている。そして、この軸支凹部２８は、回転軸１５の軸方向出力側（反モータロータ側）の端部を回転可能に支持する。
【００３０】
第１ハウジング部２１の嵌合凹部２６には、第２ハウジング部２２が組み付けられている。第２ハウジング部２２は、回転軸１５の軸線を中心とする略円盤状に形成され、その径中心には、回転軸１５の中間部を回転可能に軸支するための軸支持孔３１（中間軸支部）が貫通形成されている。軸支持孔３１は、第１ハウジング部２１の軸支凹部２８と同軸且つ同径に形成されている。
【００３１】
第２ハウジング部２２の反モータロータ側の端部には、第１ハウジング部２１の嵌合凹部２６に対して嵌入される円形の閉塞部３２が形成されている。なお、前記軸支持孔３１は、閉塞部３２の中心を貫通している。また、軸支持孔３１の収容凹部２７側の端部には、切り欠き溝３１ａが形成されている。
【００３２】
閉塞部３２は、その外径側部位が嵌合凹部２６と軸方向に当接するとともに、内径側部位が収容凹部２７のモータロータ１６側の開口を閉塞している。また、閉塞部３２は、嵌合凹部２６の開口端部（モータロータ１６側の端部）から内周側に突出形成された抜け止め部２６ａと軸方向に係止されている。これにより、閉塞部３２の軸方向の移動が規制され、閉塞部３２（第２ハウジング部２２）が嵌合凹部２６から抜け出てしまうことが抑制されている。なお、抜け止め部２６ａは、閉塞部３２が嵌合凹部２６に嵌入された状態で、挿入部２４のモータロータ１６側端面である挿入部端面２４ｆの周方向の複数箇所（若しくは周方向全体）を、図示しない治具等で内周側に塑性変形させて形成される。
【００３３】
閉塞部３２と収容凹部２７とはポンプ室Ｐを構成しており、そのポンプ室Ｐにはポンプロータ３３が収容されている。なお、閉塞部３２と嵌合凹部２６との軸方向間には、シールリング３４が介在されており、その間のシール性が確保されている。
【００３４】
ポンプロータ３３は、回転軸１５に一体回転可能に固定されたインナロータ３５と、インナロータ３５の外周に配置されたアウタロータ３６とから構成された内接ギヤ式のものである。
【００３５】
インナロータ３５は、回転軸１５に一体回転可能に固定され、インナロータ３５の外周には外歯（図示略）が形成されている。アウタロータ３６は、外周面が円形の筒状をなし、収容凹部２７に対して回転可能に嵌め込まれている。アウタロータ３６の内周には、インナロータ３５の外歯と噛合する内歯（図示略）が形成されている。なお、アウタロータ３６の内歯の歯数はｎ（ｎは３以上の自然数）個に設定され、インナロータ３５の外歯の歯数はｎ−１個に設定されている。
【００３６】
第２ハウジング部２２のモータロータ１６側の端面には、回転軸１５の軸方向に沿って円筒状に突出する円筒部３７が形成されている。円筒部３７の内径は、軸支持孔３１の径よりも大きく形成されており、この円筒部３７の内周面と回転軸１５の外周面との間には、オイルシール３８が介装されている。オイルシール３８は、円筒部３７の内周面と回転軸１５の外周面との間を封止しており、これにより、ポンプ室Ｐ側の空間とモータケース１１の内部空間とが液密に区画されている。なお、円筒部３７の外径は、モータステータ１４の内径より小さく形成されている。
【００３７】
第１ハウジング部２１の収容凹部２７において、軸支凹部２８の径方向外側位置には、吸入ポート４１及び吐出ポート４２が形成されている。吸入ポート４１及び吐出ポート４２は、収容凹部２７の底面２７ａからベース部２３の底面２３ｃまで貫通形成されている。即ち、吸入ポート４１及び吐出ポート４２は、収容凹部２７の内部と第１ハウジング部２１の外部とを連通している。また、収容凹部２７の底面２７ａには、吐出ポート４２と軸支凹部２８とを連通する切り欠き溝２７ｂが形成されている。切り欠き溝２７ｂは、第２ハウジング部２２側の前記切り欠き溝３１ａと軸方向に対向する位置に形成されている。
【００３８】
ここで、上記の電動ポンプにおける、第１ハウジング部２１の挿入部２４とモータケース１１の第１開口端部１１ａとの固定構造について説明する。
図１の拡大図に示すように、モータケース１１の第１開口端部１１ａには薄肉部１１ｃが形成されている。薄肉部１１ｃは、モータケース１１の軸方向端部から軸方向の所定長さに亘って形成されるとともに、第１開口端部１１ａの全周に亘って形成されている。薄肉部１１ｃは、モータケース１１の他の部位（例えば、軸方向中間部１１ｄ）よりも内径が大きく形成されており、この薄肉部１１ｃの径方向厚みＴ１は、軸方向中間部１１ｄの径方向厚みＴ２よりも薄く形成されている。
【００３９】
薄肉部１１ｃには、モータケース１１の径方向内側に突出するかしめ固定部１１ｅが、薄肉部１１ｃの周方向全体に亘って形成されている。かしめ固定部１１ｅは、挿入部２４を第１開口端部１１ａに挿入した後、薄肉部１１ｃを外周側から図示しない治具にて塑性変形させることで形成されており、このかしめ固定部１１ｅは、挿入部２４の外周面２４ａに圧接されている。これにより、モータケース１１の第１開口端部１１ａと、第１ハウジング部２１の挿入部２４とが強固に固定されている。
【００４０】
なお、挿入部２４に対するかしめ固定部１１ｅの圧接部位は、収容凹部２７（ポンプ室Ｐ）の径方向外側に設定されている。このため、かしめによる回転軸１５の軸ずれの発生が好適に抑制されている。また、挿入部２４の先端部は、薄肉部１１ｃよりも軸方向内側位置まで挿入されており、その挿入部２４の先端部の外周面２４ａは、モータケース１１の軸方向中間部１１ｄの内周面と径方向に当接している。そして、その当接部位の間に前記シールリング２５が介装されている。つまり、シールリング２５は、モータケース１１における薄肉部１１ｃ以外の位置に対応して（即ち、薄肉部１１ｃよりも軸方向内側）に設けられている。
【００４１】
また、第１ハウジング部の挿入部２４におけるかしめ固定部１１ｅが圧接される部位（被かしめ部であって、挿入部２４の根元付近の部位）の位置は、第２ハウジング部２２の閉塞部３２が固定される部位（即ち、嵌合凹部２６）に対して回転軸１５の軸方向に異なる位置に設定されている。これにより、嵌合凹部２６に固定された第２ハウジング部２２が、モータケース１１と第１ハウジング部２１の挿入部２４との固定の際の径方向のかしめ圧の影響を受けることが抑制されている。このため、かしめ圧によって第２ハウジング部２２の固定状態が悪化し、それにより例えば軸支持孔３１の軸ずれが生じるといったことが抑制されている。
【００４２】
モータケース１１において、第１ハウジング部２１の挿入部２４が内嵌される第１開口端部１１ａとは反対側の第２開口端部１１ｂには、樹脂製の回路ケース部材１３が組み付けられている。回路ケース部材１３は、軸方向視でモータケース１１と同軸の円形をなしている。
【００４３】
図２に示すように、回路ケース部材１３の外周面には、周方向に複数（本実施形態では４つ）の係止片５１が設けられている。この各係止片５１がモータケース１１の外周面に設けられた係止凸部５２に係止されることで、回路ケース部材１３がモータケース１１に対して固定されている。なお、第２開口端部１１ｂと回路ケース部材１３との間にはシールリング５０（図１参照）が介在されており、その間のシール性が確保されている。また、回路ケース部材１３には、回路基板５４上の回路部品５５から発生した熱を放熱するためのヒートシンク５３が設けられている。
【００４４】
図１に示すように、回路ケース部材１３には、回路基板５４が例えば熱溶着により固定されている。この回路基板５４には、回路部品５５が実装されるとともに、モータステータ１４のコイル１４ａから引き出されたコイル線１４ｂが接続されている。回路ケース部材１３は、回路基板５４の回路部品５５を覆っている。
【００４５】
上記構成の電動ポンプでは、図示しない外部電源から回路基板５４の回路部品５５を介してモータステータ１４のコイル１４ａに電流が供給されると、モータステータ１４で回転磁界が発生し、その回転磁界に基づいてモータロータ１６及び回転軸１５が回転する。そして、回転軸１５の回転に伴ってポンプロータ３３のインナロータ３５及びアウタロータ３６が回転する。すると、インナロータ３５及びアウタロータ３６のポンプ作用によって、吸入ポート４１を介してポンプ室Ｐ内にオイルが吸入され、そのポンプ室Ｐ内に吸入されたオイルが吐出ポート４２を介してポンプ室Ｐ外（即ち、第１ハウジング部２１の外部）に吐出されるようになっている。
【００４６】
ここで、上記構成では、第１ハウジング部２１の軸支凹部２８と第２ハウジング部２２の軸支持孔３１の２点で回転軸１５が軸支されているため、回転軸１５の回転が安定する。更に、軸支凹部２８及び軸支持孔３１は、負荷が掛かるポンプロータ３３の軸方向両側に設けられている（所謂、両持ちである）ため、回転軸１５の回転時における軸ぶれが抑制されるようになっている。
【００４７】
また、軸受クリアランス（回転軸１５と軸支凹部２８との間のクリアランス、及び回転軸１５と軸支持孔３１との間のクリアランス）には、吸入ポート４１からポンプ室Ｐ内に吸入されたオイルの一部が流れ込み、軸支凹部２８及び軸支持孔３１の潤滑油として作用する。ここで、ポンプ室Ｐ内のオイルが吐出ポート４２から吐出される正圧側（図１における右側）では、軸受クリアランス内のオイルが不足しがちである。そこで、本実施形態では、正圧側（吐出ポート４２側）のポンプロータ３３の軸方向両側に前記切り欠き溝２７ｂ，３１ａを形成しており、その切り欠き溝２７ｂ，３１ａ内にオイルが保持されるため、正圧側においても軸受クリアランス内のオイルが不足することが抑制されている。
【００４８】
本実施形態の電動ポンプの組み付けでは、第１ハウジング部２１を組み付けの基準部材とし、各凹部２６〜２８の開口方向が例えば鉛直方向上側を向くように、第１ハウジング部２１を図示しない作業台に移動不能に設置する。
【００４９】
次に、アウタロータ３６を収容凹部２７に対して鉛直方向下側に組み付けて収容する。その後、インナロータ３５、第２ハウジング部２２、オイルシール３８、回転軸１５及びモータロータ１６（マグネット１６ａを組み付け後のもの）を組み付けて構成されたサブアッセンブリを、第１ハウジング部２１に対して前記アウタロータ３６の組付方向と同方向（即ち、鉛直方向下側）に組み付ける。
【００５０】
次に、第１ハウジング部２１の挿入部２４に対して、モータケース１１を上記部品と同一方向に組み付ける。このとき、まず、モータケース１１の薄肉部１１ｃを挿入部２４に外挿する。その後、図示しない治具にて薄肉部１１ｃの軸方向中間部を径方向内側に塑性変形させて挿入部２４の外周面２４ａに圧接させる。これにより、かしめ固定部１１ｅが形成され、モータケース１１と第１ハウジング部２１の挿入部２４とが強固に固定される。
【００５１】
次に、本実施形態の作用について説明する。
ポンプハウジング１２において、第１ハウジング部２１がモータケース１１に直接固定されるとともに、その第１ハウジング部２１に固定された第２ハウジング部２２は、モータケース１１に対して離間されて構成されている。そして、この第２ハウジング部２２には、回転軸１５の中間部位（モータロータ１６とポンプロータ３３との間の部位）を軸支する軸支持孔３１が設けられている。
【００５２】
これにより、回転駆動時にモータステータ１４で生じた熱は、モータケース１１から第１ハウジング部２１へと伝達されるが、モータケース１１から離間された第２ハウジング部２２には、モータケース１１の熱が直接伝わらない。このため、モータケース１１から第１ハウジング部２１に熱を逃がすことによって、モータケース１１での熱の滞留を抑制しつつも、軸支持孔３１を有する第２ハウジング部２２が高温になることが抑制され、その結果、軸支持孔３１での熱摩耗を抑えることができる。
【００５３】
また、本実施形態の電動ポンプでは、モータケース１１の第１開口端部１１ａに薄肉部１１ｃが形成され、その薄肉部１１ｃを塑性変形させて挿入部２４に圧接させることで、モータケース１１と第１ハウジング部２１とが固定されている。このため、ボルトや接着剤等を用いずともモータケース１１と第１ハウジング部２１とを固定することが可能となり、その結果、電動ポンプの構成や製造工程の簡素化ができるようになっている。
【００５４】
次に、本実施形態の特徴的な効果を記載する。
（１）ポンプハウジング１２は、モータケース１１に固定された第１ハウジング部２１と、回転軸１５の中間部位（モータロータ１６とポンプロータ３３との間の部位）を軸支する軸支持孔３１（中間軸支部）を有する第２ハウジング部２２とが互いに組み付けられて、その第１及び第２ハウジング部２１，２２の間にポンプ室Ｐが構成される。そして、第２ハウジング部２２は、第１ハウジング部２１に対して固定され、モータケース１１とは離間されて構成される。これにより、モータステータ１４で生じた熱は、モータケース１１から第１ハウジング部２１へと伝達されるが、モータケース１１から離間された第２ハウジング部２２には、モータケース１１の熱が直接伝わらない。これにより、モータケース１１から第１ハウジング部２１に熱を逃がすことによって、モータケース１１での熱の滞留を抑制しつつも、軸支持孔３１を有する第２ハウジング部２２が高温になることが抑制され、その結果、軸支持孔３１での熱摩耗を抑えることができる。
【００５５】
（２）第１ハウジング部２１の挿入部２４が、モータケース１１の第１開口端部１１ａに直接固定される。つまり、第１ハウジング部２１の挿入部２４とモータケース１１の第１開口端部１１ａとの間に、断熱材等の別部材を介さない状態で固定されるため、モータケース１１から第１ハウジング部２１に熱を逃がしやすくすることができ、その結果、モータケース１１での熱の滞留を好適に抑制することができる。
【００５６】
（３）モータケース１１の第１開口端部１１ａには、モータケース１１の他の部位よりも肉厚が薄い薄肉部１１ｃが形成される。そして、その薄肉部１１ｃには、モータケース１１の径方向内側に突出して第１ハウジング部２１の挿入部２４に圧接するかしめ固定部１１ｅが形成される。これにより、モータケース１１の薄肉部１１ｃをかしめる（塑性変形させる）ことで、モータケース１１と第１ハウジング部２１の挿入部２４とが固定されるため、ボルトや接着剤等を用いずともモータケース１１と第１ハウジング部２１とを固定することができ、その結果、電動ポンプの構成や製造工程の簡素化に寄与できる。また、かしめ固定部１１ｅの形成部位を薄肉部１１ｃとすることで、モータケース１１の第１開口端部１１ａを容易に塑性変形させることができ、その結果、モータケース１１と第１ハウジング部２１との固定作業が容易となる。
【００５７】
（４）モータケース１１を、比較的剛性が高く且つ線膨張率が比較的小さい鉄系材料にて形成することで、そのモータケース１１に対するモータステータ１４の固定を安定させることができる。また、鉄系材料は例えば樹脂に比べて熱伝導率が高いため、モータステータ１４の熱がモータケース１１から外部に良好に放熱され、その結果、モータステータ１４の熱がモータケース１１内部に籠もることを抑制することができる。
【００５８】
（５）第１ハウジング部２１がアルミ系材料よりなるため、電動ポンプの軽量化に寄与できる。また、アルミ系材料は熱伝達率が比較的高いため、モータケース１１から第１ハウジング部２１への熱の伝達が促され、その結果、モータケース１１での熱の滞留をより好適に抑制することができる。
【００５９】
（６）かしめ固定部１１ｅは、第１ハウジング部２１と第２ハウジング部２２との固定部位に対して軸方向に異なる位置に設けられる。これにより、モータケース１１の第１開口端部１１ａと第１ハウジング部２１の挿入部２４との固定の際の径方向のかしめ圧が、第１ハウジング部２１に固定された第２ハウジング部２２に対して影響を及ぼしにくくすることができる。このため、かしめ圧によって第２ハウジング部２２の固定状態が悪化し、それにより例えば軸支持孔３１の軸ずれが生じるといったことを抑制することができる。
【００６０】
尚、本発明の実施形態は、以下のように変更してもよい。
・モータケース１１の第１開口端部１１ａと第１ハウジング部２１の挿入部２４とのかしめ固定の構成は、上記実施形態に限定されるものではなく、構成に応じて適宜変更してもよい。
【００６１】
例えば、図３に示す例では、第１ハウジング部２１の挿入部２４には、その外周面２４ａから径方向外側に突出する突出部２４ｂが、挿入部２４の全周に亘って形成されている。突出部２４ｂの外周面は、モータケース１１の薄肉部１１ｃの内面に当接されている。なお、突出部２４ｂの外周面には、前記シールリング２５を収容する凹部２４ｃが形成されている。
【００６２】
また、突出部２４ｂの軸方向の第１端部２４ｄ（挿入部２４の先端部側の端部）は、モータケース１１の内周面において薄肉部１１ｃと軸方向中間部１１ｄ（肉厚部）との間に形成された段差部１１ｆに対して軸方向に当接されている。これにより、モータケース１１に対する挿入部２４の挿入方向（図３において上方）への移動が規制されている。
【００６３】
一方、突出部２４ｂの軸方向の第２端部２４ｅには、薄肉部１１ｃの軸方向先端部に形成されたかしめ固定部１１ｇが圧接されている。かしめ固定部１１ｇは、薄肉部１１ｃの軸方向先端部を径方向内側に屈曲させることで形成されている。このかしめ固定部１１ｇは、突出部２４ｂの第２端部２４ｅに対して軸方向に係止され、これにより、モータケース１１からの挿入部２４の反挿入方向（図３において下方）への抜けを抑制している。このような構成によっても、上記実施形態と同様の効果を得ることができる。
【００６４】
・上記実施形態では、モータケース１１の第１開口端部１１ａに薄肉部１１ｃを形成したが、これに特に限定されるものではなく、第１開口端部１１ａの径方向厚みをモータケース１１の軸方向中間部１１ｄの径方向厚みＴ２と等しく設定してもよい。
【００６５】
・上記実施形態では、モータケース１１は、第１ハウジング部２１の挿入部２４に対してかしめ固定されたが、これ以外に例えば、ボルトや接着剤等によって固定してもよい。
・上記実施形態では、ポンプロータ３３を収容する収容凹部２７が第１ハウジング部２１側に形成されたが、これに特に限定されるものではなく、第２ハウジング部２２側に形成してもよい。
【００６６】
・上記実施形態では、第２ハウジング部２２が第１ハウジング部２１の嵌合凹部２６に圧入固定されたが、これ以外に例えば、ボルトや接着剤等によって固定してもよい。
・上記実施形態では、第１ハウジング部２１には回転軸１５を軸支する軸支凹部２８が形成されたが、これに特に限定されるものではなく、軸支凹部２８を省略し、回転軸１５が第２ハウジング部２２の軸支持孔３１のみで軸支された構成としてもよい。
【００６７】
・上記実施形態では、モータケース１１を鉄系材料にて構成し、第１及び第２ハウジング部２１，２２をアルミ系材料にて構成したが、これに特に限定されるものではなく、モータケース１１と第１及び第２ハウジング部２１，２２の材料は、構成に応じて適宜変更してもよい。
【００６８】
・上記実施形態では、ポンプロータ３３をインナロータ３５とアウタロータ３６とからなる内接ギヤ式としたが、これに特に限定されるものではなく、流体を吸入・排出することができれば、内接ギヤ式以外のタイプのポンプロータに変更してもよい。
【００６９】
・上記実施形態では、モータロータ１６をＩＰＭ型のコンシクエントポール型ロータとしたが、これに限らず、コンシクエント型でないタイプ（Ｎ極・Ｓ極のマグネットを周方向に交互に配置したタイプ）のロータや、ＳＰＭ型のロータを用いてもよい。
【００７０】
・上記実施形態では、オイル用の電動ポンプに具体化したが、オイル以外の流体を送給する用途に用いる電動ポンプに具体化してもよい。
【符号の説明】
【００７１】
１１…モータケース、１１ａ…第１開口端部（開口端部）、１１ｃ…薄肉部、１１ｅ，１１ｇ…かしめ固定部、１２…ポンプハウジング、１４…モータステータ、１５…回転軸、１６…モータロータ、２１…第１ハウジング部、２２…第２ハウジング部、２４…挿入部、３１…軸支持孔（中間軸支部）、３３…ポンプロータ、Ｐ…ポンプ室。
【図１】
2014062483.tif 000003
【図２】
2014062483.tif 000004
【図３】
2014062483.tif 000005